(57)【特許請求の範囲】
【請求項１】
先端が所定形状に形成された軸部を有する取っ手と、機器本体に設けられ、前記軸部が回動可能に挿通する軸穴が形成された軸受けとを備え、前記軸部を前記軸受けに挿通した状態で前記機器本体に回動可能に取り付けられる取っ手の取り付け構造であって、
前記取っ手は、両端部それぞれに前記軸部が設けられ、
前記機器本体には、二つの前記軸部に対応するように二箇所に前記軸受けと係合部材とが設けられ、前記取っ手は、前記軸部の先端が前記係合部材に係合しているとき回動不能であり、一方の前記軸部の先端は、前記取っ手が所定の第１の回動位置にあるときに前記係合部材と係合し、他方の前記軸部の先端は、前記取っ手が前記第１の回動位置とは異なる第２の回動位置にあるときに前記係合部材と係合し、
前記軸部の先端と前記係合部材とが互いに係合するように付勢する付勢部材が設けられていることを特徴とする取っ手の取り付け構造。
【請求項２】
前記係合部材には、ツマミが設けられ、前記ツマミに所定方向に力を加えることによって、前記軸部の先端と前記係合部材との係合が外れることを特徴とする請求項１記載の取っ手の取り付け構造。
【発明の詳細な説明】
【０００１】
【発明の属する技術分野】
本発明は、回動可能であって所定の回動位置でロックされる取っ手の取り付け構造に関する。
【０００２】
【従来の技術】
ラジカセなどの電子機器には、持ち運び用の取っ手が設けられ、軸部材を介して機器本体に回動可能に取り付けられている。このような取っ手は、回動軸とその周囲に組み付けられる軸受けとの嵌合をきつくし、ある程度力を加えることで回動させ、例えば上方に向けて持ち運びに使用している。
【０００３】
【発明が解決しようとする課題】
しかしこのような取っ手においては、回動軸および軸受けの部材の微妙なばらつきによって、嵌合がゆるくなることがある。そのため、製品によっては取っ手が力を要さずに軽く回動してしまい、持ち運び状態などで安定して保持できないという問題があった。
また、機器本体を斜めに立て掛けて使用する電子機器では、取っ手をスタンドとして兼用できると好ましいが、前記のような構造では取っ手を適当な角度で保つことができなかった。
【０００４】
本発明の課題は、回動可能であって、また所定の回動位置で保持できる取っ手の取り付け構造を提供することである。
【０００５】
【課題を解決するための手段】
以上の課題を解決するため、請求項１に記載の発明は、先端が所定形状に形成された軸部を有する取っ手と、機器本体に設けられ、前記軸部が回動可能に挿通する軸穴が形成された軸受けとを備え、前記軸部を前記軸受けに挿通した状態で前記機器本体に回動可能に取り付けられる取っ手の取り付け構造であって、前記取っ手は、両端部それぞれに前記軸部が設けられ、前記機器本体には、二つの前記軸部に対応するように二箇所に前記軸受けと係合部材とが設けられ、前記取っ手は、前記軸部の先端が前記係合部材に係合しているとき回動不能であり、一方の前記軸部の先端は、前記取っ手が所定の第１の回動位置にあるときに前記係合部材と係合し、他方の前記軸部の先端は、前記取っ手が前記第１の回動位置とは異なる第２の回動位置にあるときに前記係合部材と係合し、前記軸部の先端と前記係合部材とが互いに係合するように付勢する付勢部材が設けられていることを特徴とする。
【０００７】
請求項２記載の発明は、請求項１記載の取っ手の取り付け構造であって、前記係合部材には、ツマミが設けられ、ツマミに所定方向に力を加えることによって、前記軸部の先端と前記係合部材との係合が外れることを特徴とする。
【００１１】
【発明の実施の形態】
以下、図を参照して本発明の実施の形態を説明する。
図１は、本発明の一例としての取っ手の取り付け構造１０をオーディオ機器などの機器本体２０の背面２０ａに設けた様子を示している。
取っ手の取り付け構造１０は、図１に示すように、取っ手１の両端部１ａ，１ｂに設けられた回動部１１ａ，１１ｂによって構成される。二つの回動部１１ａ，１１ｂは左右対称の同様の構造であるので、以下では左側の回動部１１ａについて説明する。図２は回動部１１ａの内部を示し、２は軸部材（軸部）、３は軸受け、４は係合部材、５は板バネ（付勢部材）である。これらは、図１のようにカバー部材６によって覆われている。
【００１２】
取っ手１は、樹脂製でコ字状に形成されている。取っ手１の端部１ａ，１ｂには、図１および図２に示すように、取っ手１の内側に突出し、軸部材２を填め込むための穴が形成された円筒形状の取付部１ａａ，１ｂｂが設けられている。取付部１ａａ，１ｂｂの各穴は、端部１ａ，１ｂの内部まで達している。
【００１３】
軸部材２は、ステンレス製の円柱形部材である。軸部材２の円柱部分である胴部２ａの一端部は、取っ手１の取付部１ａａに形成された穴に嵌め込まれ、固定されている。また、胴部２ａの他端部には、図３（ａ）に示すように、正面から見てマイナス形状を有する突部２ｃが、端面２ｂから軸方向に突出するように形成されている。
【００１４】
軸受け３は、上下方向に長い樹脂製部材であって、中心部には軸部材２の胴部２ａが回動可能に挿通する軸穴３ａが、左右方向に貫通するように形成されている。また、軸受け３の上下には、ネジ穴３ｂ，３ｂが形成されている。なお、前記背面２０ａのネジ穴３ｂ，３ｂ，に対応する箇所にも、図示しないネジ穴が形成されている。
【００１５】
係合部材４は、ＰＯＭ（polyoxymethylene）製の部材であって、図３（ｂ）に示すように、直方体のブロック４ａと、ブロック４ａの一方の側面に形成された細長い引き出し４ｂと、引き出し４ｂの端部に設けられたツマミ４ｃとからなる。
ブロック４ａの他方の側面４ｄには、軸部材２の突部２ｃが係合する細長い溝４ｅが形成されている。溝４ｅは、係合部材４が背面２０ａに取り付けられた際、背面２０ａに対して垂直となる方向に形成されている。また、溝４ｅの幅は、突部２ｃの縦方向の長さよりも狭く形成されている。
ツマミ４ｃは、背面２０ａに取り付けられた際背面２０ａから手前に張り出すように形成され、指でつまみ易くなっている。
【００１６】
板バネ５は、ステンレス製の薄板からなり、細長いバネ部５ａと、バネ部５ａの中央部からコ字状に張り出す支持部５ｂとから形成されている。支持部５ｂは、バネ部５ａに対して直角に折り曲げられている。なお、背面２０ａには、板バネ５が容易に位置決めされるように、支持部５ｂとほぼ同じ大きさの図示しない長方形の浅いへこみが形成されている。バネ部５ａは略矩形状に曲げられ、両端部は開いており開口部５ｃを形成している。開口部５ｃは、係合部材４の引き出し４ｂを摺動可能に挟む大きさである。
また、バネ部５ａの中央部には、取っ手１の円筒形状の取付部１ａａ、１ｂｂが填るように円弧状に削れた凹部（図示略）が形成されている。
【００１７】
カバー部材６は樹脂からなり、箱型であって、軸受け３の軸穴３ｂ，３ｂに対応する箇所に二つのネジ穴６ａ，６ａが形成されている。
また、カバー部材６の左右側面の一方には、取っ手１の取付部分１ａａ，１ｂｂの突出部分が通る切り欠き（図示略）が形成され、また他方には係合部材４の引き出し４ｂが通る切り欠き（図示略）が形成されている。
【００１８】
回動部１１ａ，１１ｂは次のように組み立てる。
取っ手１の各端部１ａ，１ｂに取り付けられた軸部材２を軸受け３の軸穴３ａに挿通させ、突部２ｃと係合部材４の側面４ｄとを対向させる。板バネ５の支持部５ｂを前記背面２０ａのへこみに合わせ、バネ部５ａによって軸受け３と係合部材４のブロック４ａとを囲み、取っ手１の取付部１ａａをバネ部５ａの前記凹部に填め込んだ状態で、開口部５ｃから係合部材４のツマミ４ｃを外側に出す。バネ部５ａの周囲をカバー部材６で覆い、ネジ穴６ａ，６ａ，３ｂ，３ｂおよび背面２０ａのネジ穴にネジを固定する。
【００１９】
このように組み付けられた回動部１１ａ，１１ｂでは、軸部材２と係合部材４とは、板バネ５によって常に押し合う方向に付勢されている。従って、軸部材２の突部２ｃが、係合部材４の溝４ｅと同じ向きになり係合すると、バネ付勢によって係合が維持され、突部２ｃが溝４ｅに係止した状態となって軸部材２の回転が阻まれ、取っ手１の回動が阻止される。
軸部材２と係合部材４とが係合した状態で、ツマミ４ｃを介して係合部材４に機器本体２０の中心方向（図２（ａ）において矢印で示す方向）の力を加えると、板バネ５が図２（ｂ）のように撓みながら突部２ｃと溝４ｅとの係合が外れ、取っ手１の回動の規制が外れて（ロックが外れて）、取っ手１は回動可能な状態となる。
【００２０】
取っ手１の取付部１ａａ，１ｂｂに各々設けられる軸部材２は、取っ手１の回動に応じて回転し、突部２ｃの方向が縦、斜め、および横方向と変化する。
左側の取付部１ａａに固定される軸部材２は、取っ手１が機器本体２０に対して下方に向き背面２０ａに接した状態（収納状態とする）のときに、突部２ｃが係合部材４の溝４ｅに係合するように取り付けられる。取っ手１が機器本体２０に対し収納状態からほぼ１８０度回動して上を向くと（持ち運び状態とする）、突部２ｃは収納状態と同じ向きとなる。従って、取付部１ａａの軸部材２は持ち運び状態においても係合部材４の溝４ｅと係合するようになっている。
一方、右側の取付部１ｂｂに固定される軸部材２は、取っ手１を背面２０ａに対して斜めに向け、機器本体２０のスタンドとして使用するための最適な角度にした状態（スタンド状態とする）のとき、突部２ｃが係合部材４の溝４ｅに係合するように取り付けられる。
【００２１】
取っ手１が収納状態のとき、図１の左側の回動部１１ａにおいて軸部材２の突部２ｃと係合部材４の溝４ｅとが係合し、取っ手１は回動が阻止されロック状態となっている。この時、右側の回動部１１ｂでは、軸部材２と係合部材４とは係合しておらず、軸部材２の突部２ｃは係合部材４の側面４ｄに突き当たって板バネ５が撓んだ状態となっており、ロックは解除の状態となっている。
収納状態において、回動部１１ａのツマミ４ｃを機器本体２０の中心方向（図２（ａ）において矢印で示す方向）に引くと、軸部材２と係合部材４との係合が外れてロックが解除され、取っ手１が回動可能となる。
そして取っ手１を持って上方に回動させ、スタンド状態の回動位置に達すると、右側の回動部１１ｂの軸部材２の突部２ｃと、係合部材４の溝４ｅとの向きが一致し、板バネ５の付勢力によって軸部材２と係合部材４とが係合する。この係合により、軸部材２の回転は阻まれ、取っ手１はスタンド状態でロックされる。スタンド状態では、左側の回動部１１ａのロックは外れた状態である。
スタンド状態において、回動部１１ｂのツマミ４ｃを機器本体２０の中心方向に引くと、収納状態で回動部１１ｂのロックを解除した場合と同様にロックが解除され、取っ手１は回動可能となる。取っ手１をさらに上方に回動させ、持ち運び状態の回動位置に達すると、左側の回動部１１ａにおいて軸部材２と係合部材４とが再び係合し、取っ手１の回動は阻まれロックされる。持ち運び状態では、収納状態と同様に回動部１１ｂのロックは外れた状態である。
【００２２】
以上の取っ手の取り付け構造１０によれば、取っ手１の左側に設けた回動部１１ａによって、取っ手１を収納状態および持ち運び状態で回動を阻止し、ロックすることができる。従って、取っ手１を持って吊り下げる際に、取っ手１を持ち運び状態で保持することができるので、取っ手１に対して機器本体２０が揺れ動くのを防ぐことができ、安定して持ち運びができる。
また、取っ手１の右側に設けた回動部１１ｂによって、取っ手１をスタンド状態で回動を阻止し、ロックすることができる。従って、取っ手１をスタンド状態で保持することができ、機器本体２０を取っ手１によって立て掛けることができる。この構成により、取っ手１をスタンドとして兼用でき、好適である。
加えて、以上の取っ手の取り付け構造１０は、軸部材２および軸受け３の嵌合のきつさに頼ることなく取っ手１を所定の回動位置で保持することができるので、製品によって取っ手１の保持状態にばらつきがでることがなく、安定して保持できる。
【００２３】
なお、本発明は、上記実施の形態に限定されるものではない。
例えば、各部材の材質は上記実施の形態に限定されず、適宜変更可能である。また、軸部材は、取っ手と一体であってもよい。
さらに、軸部材の突部は、図４に示す軸部材８の突部８ｃのように周方向に放射状に突出するよう形成し、係合部材には突部８ｃの形状に対応した溝を形成して、一組の軸部材と係合部材とによって、持ち運び状態とスタンド状態などの複数の回動位置で係合できるようにしてもよい。
加えて、上記実施の形態では、軸部材と係合部材とを係合させる付勢部材として板バネを用いているが、他のバネやゴムなど、他の弾性部材を用いてもよい。また、上記実施の形態では取っ手の取り付け構造をオーディオ機器に設けているが、他の電子機器に用いてもよい。
【００２４】
【発明の効果】
請求項１記載の発明によれば、回動可能な取っ手に設けられた軸部の先端と、機器本体に設けられた係合部材とは、取っ手が所定の回動位置にあるときに係合し、これによって取っ手が回動不能となる。従って、例えば持ち運び状態になるときに軸部の先端と係合部材とが係合するように構成すれば、持ち運び状態で取っ手はロックされ安定する。また、軸部材と係合部材とが係合するように付勢する付勢部材が設けられているので、取っ手の所定の回動位置におけるロック状態を維持することができる。また、取っ手の両端部それぞれに軸部が設けられ、機器本体には、二つの軸部に対応するように二箇所に軸受けと係合部材とが設けられ、一方の軸部は、取っ手が所定の第１の回動位置にあるときに係合部材と係合し、他方の軸部は、取っ手が前記第１の回動位置とは異なる第２の回動位置にあるときに係合部材と係合するようにしている。従って、例えば第１の回動位置を取っ手の持ち運び状態とし、第２の回動位置を、取っ手をスタンドとして使用できる回動位置とすれば、取っ手を持ち運び状態とスタンド状態とのそれぞれにおいてロックし、その状態を保持できる。
【図面の簡単な説明】
【図１】本発明を適用した取っ手の取り付け構造の正面図である。
【図２】図１における回動部の内部を示し、（ａ）は軸部材と係合部材とが係合している時の様子を示し、（ｂ）は係合が外れた様子を示す。
【図３】（ａ）は図２における軸部材の突部を示す斜視図であり、（ｂ）は係合部材の斜視図である。
【図４】本発明の取っ手の取り付け構造における軸部材の突部の他の例を示す斜視図である。
【符号の説明】
１   取っ手
１ａ，１ｂ  端部
１ａａ，１ｂｂ  取付部
２，８  軸部材（軸部）
２ａ  胴部
２ｃ，８ｃ  突部
３   軸受け
３ａ  軸穴
４   係合部材
４ａ  ブロック
４ｂ  引き出し
４ｃ  ツマミ
４ｄ  側面
４ｅ  溝
５    板バネ（付勢部材）
５ａ  バネ部
５ｂ  支持部
６    カバー部材
１０  取っ手の取り付け構造
１１ａ，１１ｂ  回動部
２０  機器本体
２０ａ  背面
【図１】
0003830079.tif 000002
【図２】
0003830079.tif 000003
【図３】
0003830079.tif 000004
【図４】
0003830079.tif 000005